(57)【要約】【課題】  複数のサーミスタを通った信号を共通の１回路に個別に入力することができる温度検出回路を提供する。【解決手段】  温度検出回路は、複数の温度センサと、検出回路１３とを備えている。検出回路１３は、それぞれ、複数の温度センサに一対一で接続された一端及び共通の１回路に接続された他端を含んだ複数のスイッチと、特定の期間毎に複数のスイッチの何れか１つがオン状態に切替わるよう複数のスイッチのスイッチング動作を制御し、複数の温度センサを通った信号を共通の１回路に個別に出力させる切替え部５１と、を有している。【選択図】図１
2012042428.tif 000002
【特許請求の範囲】
【請求項１】
複数の温度センサと、
それぞれ、前記複数の温度センサに一対一で接続された一端及び共通の１回路に接続された他端を含んだ複数のスイッチと、特定の期間毎に前記複数のスイッチの何れか１つがオン状態に切替わるよう前記複数のスイッチのスイッチング動作を制御し、前記複数の温度センサを通った信号を前記共通の１回路に個別に出力させる切替え部と、を有した検出回路と、を備えたことを特徴とする温度検出回路。
【請求項２】
それぞれ前記共通の１回路に接続された一端を含んだ複数の他のスイッチと、前記共通の１回路に接続され、前記共通の１回路から出力される信号を基に、前記特定の期間と同一の期間毎に前記複数の他のスイッチの何れか１つがオン状態に切替わるよう前記複数の他のスイッチのスイッチング動作を制御し、前記共通の１回路から出力される信号を前記複数の他のスイッチの他端側に、個別に出力させる他の切替え部と、を有した制御回路をさらに備えたことを特徴とする請求項１に記載の温度検出回路。
【請求項３】
前記制御回路は、それぞれ前記複数の他のスイッチの他端側に一対一で接続され、前記他端側に出力される信号が規定値以上であるのかどうか比較し、前記比較した結果に応じてシーケンス動作を行うように構成された複数の処理部をさらに有したことを特徴とする請求項２に記載の温度検出回路。
【請求項４】
前記共通の１回路に接続され、前記共通の１回路から出力される信号が規定値以上であるのかどうか比較し、前記比較した結果に応じてシーケンス動作を行うように構成された処理部をさらに備えたことを特徴とする請求項１に記載の温度検出回路。
【請求項５】
前記処理部は、前記共通の１回路から出力される信号が、前記複数の温度センサの何れを通った信号であるのか演算することを特徴とする請求項４に記載の温度検出回路。
【請求項６】
複数の温度センサと、検出回路と、バッファと、を備え、
前記検出回路は、
前記複数の温度センサの各々の一端に接続された第１電源と、
それぞれ前記複数の温度センサの他端に一対一で接続された複数の抵抗と、
それぞれ、前記複数の温度センサの他端及び前記複数の抵抗の複数の接続点に一対一で接続された非反転入力端子並びに反転入力端子を含み、出力が前記反転入力端子に帰還される複数のオペアンプと、
前記第１電源と極性の異なる第２電源と、
それぞれ前記複数のオペアンプの出力端子及び前記第２電源に一対一で接続された一端、他端並びに制御端子を含んだ複数のスイッチと、
前記複数のスイッチの他端に接続された反転形加算回路と、
前記反転形加算回路及び前記バッファ間に接続された反転回路と、
切替え部と、を有し、
前記切替え部は、
発振器と、
前記発振器に接続されたクロック入力端子と、少なくとも前記複数のスイッチの制御端子に接続された複数の出力端子と、クリア入力端子と、を含み、前記クロック入力端子を介して前記発振器から与えられるクロック信号に基づき、特定の期間毎に前記複数のスイッチの何れか１つがオン状態に切替わるよう前記複数のスイッチの制御端子に制御信号を与え、前記複数の温度センサ及び前記複数のオペアンプを通った信号を前記反転形加算回路に個別に出力させるリングカウンタと、
前記リングカウンタの前記複数の出力端子に接続された複数の入力端子と、前記リングカウンタの前記クリア入力端子に接続された出力端子と、を含み、前記リングカウンタの前記複数の出力端子から与えられる出力と、設定値とを比較し、前記比較した情報に基づいたクリア信号を前記リングカウンタの前記クリア入力端子に与え、前記リングカウンタの出力をクリアする比較回路と、を有したことを特徴とする温度検出回路。
【請求項７】
前記バッファと、
それぞれ前記バッファに接続された一端、他端並びに制御端子を含んだ複数の他のスイッチと、
他の切替え部と、を有した制御回路をさらに備え、
前記他の切替え部は、
前記バッファに接続された入力端子と、出力端子と、を含み、前記第２電源から与えられる電圧に起因した信号が前記バッファから与えられたかどうか判断し、前記第２電源から与えられる電圧に起因した信号が前記バッファから与えられた際、クリア信号を前記出力端子を介して出力する判断部と、
前記判断部の前記出力端子に接続され、前記判断部からクリア信号が与えられることにより出力がクリアされる他の発振器と、
前記他の発振器に接続されたクロック入力端子と、前記判断部の前記出力端子に接続されたクリア入力端子と、前記複数の他のスイッチの制御端子に接続された複数の出力端子と、を含み、前記クロック入力端子を介して前記他の発振器から与えられるクロック信号に基づき、前記特定の期間と同一の期間毎に前記複数の他のスイッチの何れか１つがオン状態に切替わるよう前記複数の他のスイッチの制御端子に制御信号を与え、前記バッファを通った信号を前記複数の他のスイッチの他端側に、個別に出力させ、前記判断部からクリア信号が与えられることにより出力がクリアされる他のリングカウンタと、を有したことを特徴とする請求項６に記載の温度検出回路。
【請求項８】
前記制御回路は、それぞれ前記複数の他のスイッチの他端側に一対一で接続された複数の処理部をさらに有し、
各処理部は、
前記他のスイッチの他端側に接続された入力端子と、出力端子と、を含み、前記他のスイッチを通って与えられる信号が規定値を超えたかどうか判断し、前記判断に対応した信号を前記出力端子を介して出力する判断部と、
前記他のスイッチの他端側及び前記判断部の前記出力端子に接続され、前記判断部から前記信号が与えられ、前記他のスイッチを通って与えられる信号が規定値を超えたとの判断に対応した信号が前記判断部から与えられた際、シーケンス動作を行うように構成されたシーケンス回路と、を有したことを特徴とする請求項７に記載の温度検出回路。
【請求項９】
前記バッファと、処理部と、を有した制御回路をさらに備え、
前記処理部は、
前記バッファに接続された入力端子と、出力端子と、を含み、前記バッファから出力される信号が規定値を超えたかどうか判断し、前記判断に対応した信号を前記出力端子を介して出力する判断部と、
前記バッファ及び前記判断部の前記出力端子に接続され、前記判断部から前記信号が与えられ、前記バッファから出力される信号が規定値を超えたとの判断に対応した信号が前記判断部から与えられた際、シーケンス動作を行うように構成されたシーケンス回路と、を有したことを特徴とする請求項６に記載の温度検出回路。
【請求項１０】
前記バッファと、処理部と、を有した制御回路をさらに備え、
前記処理部は、
前記バッファに接続された入力端子と、出力端子と、を含み、前記バッファから出力される信号が規定値を超えたかどうか判断し、前記判断に対応した信号を前記出力端子を介して出力する判断部と、
前記バッファに接続された入力端子と、出力端子と、を含み、前記第２電源から与えられる電圧に起因した信号が前記バッファから与えられたかどうか判断し、前記第２電源から与えられる電圧に起因した信号が前記バッファから与えられた際、クリア信号を前記出力端子を介して出力する他の判断部と、
前記判断部の前記出力端子及び前記他の判断部の前記出力端子に接続された複数の入力端子と、出力端子と、を含み、時間カウントすることにより、前記判断部から与えられる信号が前記複数の温度センサの何れを通った信号であるのか演算し、前記演算した結果を示す信号を前記出力端子を介して出力し、前記他の判断部から前記クリア信号が与えられることにより前記時間カウントがクリアされる時間カウント回路と、
前記バッファ、前記判断部の前記出力端子及び前記時間カウント回路の前記出力端子に接続され、前記判断部から前記信号が与えられ、前記バッファから出力される信号が規定値を超えたとの判断に対応した信号が前記判断部から与えられた際、前記時間カウント回路から与えられる信号に基づいてシーケンス動作を行うように構成されたシーケンス回路と、を有したことを特徴とする請求項６に記載の温度検出回路。
【発明の詳細な説明】
【技術分野】
【０００１】
本発明の実施形態は、温度検出回路に関する。
【背景技術】
【０００２】
一般に、鉄道車両に温度検出回路が設けられている。鉄道車両は、電動機などに電力を供給する電力変換装置を備えている。電力変換装置は、通常、鉄道車両の床下に設けられている。電力変換装置は、半導体素子及び電子部品等を有した電力変換回路、冷却ユニット、並びに筐体等を備えている。電力変換回路は筐体内に収納されている。電力変換装置は、半導体素子のスイッチング動作により電力変換を行うものである。
【０００３】
冷却ユニットは、一部が筐体内に収納されている。冷却ユニットは、半導体素子から発生する熱を効率よく外気へ放出し、半導体素子の温度を許容温度以下にするものである。冷却ユニットの放熱部は、筐体の外部に露出され、熱を外気に放出するように形成されている。電力変換装置が複数の電力変換回路を備えている場合、電力変換装置は冷却ユニットを複数備えている。
【０００４】
また、温度検出回路は複数のサーミスタを備え、サーミスタは冷却ユニットにそれぞれ設けられている。これにより、温度検出回路は、冷却ユニットの機能低下を検出することができる。
【先行技術文献】
【特許文献】
【０００５】
【特許文献１】特開２００１−２６０８７７号公報
【発明の概要】
【発明が解決しようとする課題】
【０００６】
ところで、上記温度検出回路において、複数のサーミスタを通った信号（複数のサーミスタを流れる電流）は、それぞれダイオードを介して共通の１回路にのみ入力される。このため、抵抗値が最小となるサーミスタを通った信号のみを検出することができる。すなわち、最高温度となる冷却ユニットの温度のみを検出することができる。しかしながら、どのサーミスタの抵抗値が最小であるのかを検出することはできない。
【０００７】
この発明は以上の点に鑑みなされたもので、その目的は、複数のサーミスタを通った信号を共通の１回路に個別に入力することができる温度検出回路を提供することにある。
【課題を解決するための手段】
【０００８】
一実施形態に係る温度検出回路は、
複数の温度センサと、
それぞれ、前記複数の温度センサに一対一で接続された一端及び共通の１回路に接続された他端を含んだ複数のスイッチと、特定の期間毎に前記複数のスイッチの何れか１つがオン状態に切替わるよう前記複数のスイッチのスイッチング動作を制御し、前記複数の温度センサを通った信号を前記共通の１回路に個別に出力させる切替え部と、を有した検出回路と、を備えている。
【０００９】
また、一実施形態に係る温度検出回路は、
複数の温度センサと、検出回路と、バッファと、を備え、
前記検出回路は、
前記複数の温度センサの各々の一端に接続された第１電源と、
それぞれ前記複数の温度センサの他端に一対一で接続された複数の抵抗と、
それぞれ、前記複数の温度センサの他端及び前記複数の抵抗の複数の接続点に一対一で接続された非反転入力端子並びに反転入力端子を含み、出力が前記反転入力端子に帰還される複数のオペアンプと、
前記第１電源と極性の異なる第２電源と、
それぞれ前記複数のオペアンプの出力端子及び前記第２電源に一対一で接続された一端、他端並びに制御端子を含んだ複数のスイッチと、
前記複数のスイッチの他端に接続された反転形加算回路と、
前記反転形加算回路及び前記バッファ間に接続された反転回路と、
切替え部と、を有し、
前記切替え部は、
発振器と、
前記発振器に接続されたクロック入力端子と、少なくとも前記複数のスイッチの制御端子に接続された複数の出力端子と、クリア入力端子と、を含み、前記クロック入力端子を介して前記発振器から与えられるクロック信号に基づき、特定の期間毎に前記複数のスイッチの何れか１つがオン状態に切替わるよう前記複数のスイッチの制御端子に制御信号を与え、前記複数の温度センサ及び前記複数のオペアンプを通った信号を前記反転形加算回路に個別に出力させるリングカウンタと、
前記リングカウンタの前記複数の出力端子に接続された複数の入力端子と、前記リングカウンタの前記クリア入力端子に接続された出力端子と、を含み、前記リングカウンタの前記複数の出力端子から与えられる出力と、設定値とを比較し、前記比較した情報に基づいたクリア信号を前記リングカウンタの前記クリア入力端子に与え、前記リングカウンタの出力をクリアする比較回路と、を有したことを特徴とする。
【図面の簡単な説明】
【００１０】
【図１】第１の実施形態に係る温度検出回路を示す概略構成図である。
【図２】第２の実施形態に係る温度検出回路を示す図であり、制御回路を示す概略構成図である。
【図３】第３の実施形態に係る温度検出回路を示す図であり、制御回路を示す概略構成図である。
【図４】第４の実施形態に係る温度検出回路を示す図であり、制御回路を示す概略構成図である。
【図５】第４の実施形態に係る温度検出回路を示す図であり、制御回路の一部を示す概略構成図である。
【図６】上記各実施形態に係るリングカウンタ１０のシーケンス動作を示す説明図であり、クロック信号ＣＫ、制御信号（Ｑ０、Ｑ１、…Ｑｎ、Ｑｎ＋１）及びクリア信号ＣＬＲを示すタイミングチャートである。
【図７】上記各実施形態に係る出力電圧Ｖ０、信号Ｖ１、Ｖ２、…Ｖｎ、ＶＡを示すタイミングチャートである。
【図８】上記第２の実施形態に係る制御回路のシーケンス動作を示す説明図であり、信号ＶＡ、比較回路１７のクリア信号ＣＬＲ、制御信号（Ｑ０、Ｑ１、…Ｑｎ）、パルス信号（ｔｐ１、ｔｐ２、…ｔｐｎ）及び信号（Ｖ２１、Ｖ２２、…Ｖ２ｎ）を示すタイミングチャートである。
【図９】上記第４の実施形態に係る制御回路のシーケンス動作を示す説明図であり、信号ＶＡ、ＶＢ、ＶＣを示すタイミングチャートである。
【図１０】上記第５の実施形態に係る制御回路のｍ番目の処理部のシーケンス動作を示す説明図であり、信号Ｖ２ｍ、ＶＦｍを示すタイミングチャートである。
【発明を実施するための形態】
【００１１】
以下、図面を参照しながら第１の実施形態に係る温度検出回路について詳細に説明する。  
図１に示すように、温度検出回路は、複数の温度センサとしての複数のサーミスタ２（２−１、２−２、…２−ｎ）と、検出回路１３と、制御回路１４とを備えている。この実施形態において、温度検出回路は、図示しない鉄道車両に設けられ、使用される。
【００１２】
サーミスタ２は、温度の上昇に伴って電気抵抗が減少する。ここでは、サーミスタ２は、ｎ個使用している。制御回路１４は、バッファとしてのオペアンプ回路（電圧フォロア）１５を有している。
【００１３】
この実施形態において、鉄道車両の電力変換装置は、複数の電力変換回路及び複数の冷却ユニットを備えている。冷却ユニットは、取り付けられている電力変換回路の熱を放出するように構成されている。サーミスタ２は、冷却ユニットにそれぞれ設けられている。これにより、温度検出回路は、冷却ユニットの機能低下を検出することができる。
【００１４】
検出回路１３は、第１電源としてのプラス電源１と、複数の抵抗３（３−１、３−２、…３−ｎ）と、複数のオペアンプ４（４−１、４−２、…４−ｎ）と、上記第１電源と極性の異なる第２電源としてのマイナス電源７と、複数のスイッチとしての複数のアナログスイッチ５（５−０、５−１、…５−ｎ）と、反転形加算回路６と、反転回路としての反転増幅器８と、切替え部５１と、を有している。
【００１５】
プラス電源１は、複数のサーミスタ２の各々の一端に接続されている。
【００１６】
複数の抵抗３は、分圧するものであり、それぞれ複数のサーミスタ２の他端に一対一で接続されている。
【００１７】
複数のオペアンプ４は、それぞれ、複数のサーミスタ２の他端及び複数の抵抗３の複数の接続点に一対一で接続された非反転入力端子と、反転入力端子とを含んでいる。複数のオペアンプ４は、アナログ信号を出力する。複数のオペアンプ４から出力される信号（Ｖ１、Ｖ２、…Ｖｎ）は反転入力端子に帰還される。オペアンプ４は、非反転のバッファ回路として構成されている。なお、マイナス電源７の出力電圧Ｖ０は、オペアンプ４の信号（Ｖ１、Ｖ２、…Ｖｎ）と極性の異なるものである。
【００１８】
複数のアナログスイッチ５は、それぞれ複数のオペアンプ４の出力端子及びマイナス電源７に一対一で接続された一端と、他端と、制御端子とを含んでいる。反転形加算回路６は、複数のアナログスイッチ５の他端に接続されている。
【００１９】
アナログスイッチ（５−１、…５−ｎ）がオン状態に切替わったとき、対応するオペアンプ４の信号（Ｖ１、Ｖ２、…Ｖｎ）がアナログスイッチ（５−１、…５−ｎ）を介して反転形加算回路６に与えられる。アナログスイッチ５−０がオン状態に切替わったとき、マイナス電源７の出力電圧Ｖ０がアナログスイッチ５−０を介して反転形加算回路６に与えられる。  
反転増幅器８は、反転形加算回路６及びオペアンプ回路１５間に接続されている。反転増幅器８は、アナログ信号ＶＡをオペアンプ回路１５に与える。
【００２０】
切替え部５１は、発振器９と、リングカウンタ１０と、比較回路１１と、複数のスイッチ１２（１２−１、１２−２、…１２−ｎ）と、第３電源としてのプラス電源Ｐ５と、複数の抵抗７１とを有している。
【００２１】
リングカウンタ１０は、発振器９に接続されたクロック入力端子と、少なくとも複数のアナログスイッチ５の制御端子に接続された複数の出力端子と、クリア入力端子と、を含んでいる。
【００２２】
複数のスイッチ１２の一端は比較回路１１に接続され、他端はプラス電源Ｐ５に接続されている。比較回路１１及び複数のスイッチ１２を繋ぐ接続線は、それぞれ抵抗７１を介して接地されている。
【００２３】
リングカウンタ１０は、クロック入力端子を介して発振器９から与えられるクロック信号ＣＫに基づき、特定の期間毎に複数のアナログスイッチ５の何れか１つがオン状態に切替わるよう複数のアナログスイッチ５の制御端子に制御信号Ｑ（Ｑ０、Ｑ１、…Ｑｎ）を与える。これにより、リングカウンタ１０は、複数のサーミスタ２及び複数のオペアンプ４を通った信号、並びにマイナス電源７の出力電圧Ｖ０を反転形加算回路６に個別に出力させることができる。
【００２４】
上記のように、リングカウンタ１０は、特定の期間毎に複数のアナログスイッチ５の何れか１つがオン状態に切替わるよう複数のアナログスイッチ５を１つずつオン状態に切替える順序回路として構成されている。
【００２５】
比較回路１１は、リングカウンタ１０の複数の出力端子に接続された複数の入力端子と、他の複数の入力端子と、リングカウンタ１０のクリア入力端子に接続された出力端子と、を含んでいる。
【００２６】
比較回路１１は、複数の入力端子にリングカウンタ１０の複数の出力端子から与えられる出力（制御信号（Ｑ２、…Ｑｎ＋１））と、複数の入力端子を介して設定された設定値Ｂ（Ｂ１、…Ｂｎ−１、Ｂｎ）とを比較し、比較した情報に基づいたクリア信号ＣＬＲをリングカウンタ１０のクリア入力端子に与える。
【００２７】
詳しくは、比較回路１１に制御信号（Ｑ２、…Ｑｎ＋１）が与えられることにより、比較回路１１に入力値Ａ（Ａ１、…Ａｎ−１、Ａｎ）が設定される。例えば、入力値Ａ１は制御信号Ｑ２が与えられることにより設定され、入力値Ａｎ−１は制御信号Ｑｎが与えられることにより設定され、入力値Ａｎは制御信号Ｑｎ＋１が与えられることにより設定される。
【００２８】
比較回路１１の入力端子に、スイッチ１２の何れか１つを介してプラス電源Ｐ５から電圧が与えられることにより、比較回路１１の設定値Ｂ（Ｂ１、…Ｂｎ−１、Ｂｎ）が設定される。
【００２９】
例えば、比較回路１１の入力端子に、スイッチ１２−１を介してプラス電源Ｐ５から電圧が与えられた場合、設定値Ｂ１にＨ（ハイ）レベルのデジタル値が設定され、設定値Ｂ２、…Ｂｎ−１、ＢｎにＬ（ロー）レベルのデジタル値が設定される。
【００３０】
また、比較回路１１の入力端子に、スイッチ１２−ｎを介してプラス電源Ｐ５から電圧が与えられた場合、設定値ＢｎにＨレベルのデジタル値が設定され、設定値Ｂ１、…Ｂｎ−１にＬレベルのデジタル値が設定される。
【００３１】
そして、設定値Ｂ（Ｂ１、…Ｂｎ−１、Ｂｎ）の何れか１つが、対応する入力値Ａ（Ａ１、…Ａｎ−１、Ａｎ）と一致するよう、Ｈレベルのデジタル値に設定され、他はＬレベルのデジタル値に設定される。
【００３２】
例えば、ｎ個のサーミスタ２を使用する場合、比較回路１１の設定値Ｂｎが、入力値Ａｎ（制御信号Ｑｎ＋１）と一致するよう、Ｈレベルのデジタル値に設定される。  
１個のサーミスタ２のみ使用する場合、比較回路１１の設定値Ｂ１が、入力値Ａ１（制御信号Ｑ２）と一致するよう、Ｈレベルのデジタル値に設定される。  
何れの個数であっても、比較回路１１の設定値Ｂを調整することにより、使用するサーミスタ２の個数を種々変更することが可能である。なお、ここでの比較回路１１は、デジタル比較回路である。
【００３３】
上記のように、設定値Ｂと、入力値Ａ（制御信号Ｑ）とが一致したとき、比較回路１１は、クリア信号ＣＬＲをリングカウンタ１０のクリア入力端子に与える。これにより、リングカウンタ１０の制御信号Ｑの出力をクリアする。  
上記のように温度検出回路が形成されている。
【００３４】
次に、リングカウンタ１０のシーケンス動作について説明する。図６は、リングカウンタ１０のシーケンス動作を示す説明図である。  
図１及び図６に示すように、リングカウンタ１０は、クロック信号ＣＫの１周期毎に、制御信号（Ｑ０、Ｑ１、…Ｑｎ、Ｑｎ＋１）を順にＨレベルとする。各制御信号ＱがＨレベルになる時間、すなわちクロック信号ＣＫの１周期の時間はＴである。
【００３５】
図６に示す例では、スイッチ１２−ｎはオン状態であり、スイッチ１２−１、…１２−ｎ−１はオフ状態である。比較回路１１において、設定値ＢｎにＨレベルのデジタル値が設定され、設定値Ｂ１、…Ｂｎ−１にＬレベルのデジタル値が設定されている。このため、比較回路１１に制御信号Ｑｎ＋１が与えられ、比較回路１１に入力値Ａｎが設定された際、比較回路１１はクリア信号ＣＬＲを出力し、リングカウンタ１０の出力をクリアする。
【００３６】
次に、信号ＶＡを出力するための検出回路１３のシーケンス動作について説明する。図７は、マイナス電源７の出力電圧Ｖ０と、オペアンプ４の信号（Ｖ１、Ｖ２、…Ｖｎ）と、反転増幅器８の信号ＶＡとを示すタイミングチャートである。
【００３７】
図１、図６及び図７に示すように、プラス電源１は、電力を、常時、サーミスタ２に与え、サーミスタ２を通った信号は、常時、オペアンプ４に与えられる。このため、オペアンプ４は、信号を、常時、出力する。マイナス電源７は、出力電圧Ｖ０を、常時、出力する。
【００３８】
アナログスイッチ（５−０、５−１、…５−ｎ）は、リングカウンタ１０の制御信号（Ｑ０、Ｑ１、…Ｑｎ）に応じて順にオン状態に切替わる。このため、信号ＶＡは、時間Ｔ毎に、順に、出力電圧Ｖ０及び信号（Ｖ１、Ｖ２、…Ｖｎ）に対応した値として、電圧値が切替えられ出力される。
【００３９】
信号ＶＡは、最初の時間Ｔに出力電圧Ｖ０に対応した電圧値Ｖ０−１に切替えられ出力される。なお、後述するが、信号ＶＡの値を電圧値Ｖ０−１に切替えることにより、タイミングをとることができる。信号ＶＡは、続く時間Ｔ毎に、信号Ｖ１に対応した電圧値Ｖ１−１、信号Ｖ２に対応した電圧値Ｖ２−１、信号Ｖ３に対応した電圧値Ｖ３−１、…信号Ｖｎに対応した電圧値Ｖｎ−１、に順に切替えられ出力される。  
次いで、信号ＶＡは、再び出力電圧Ｖ０に対応した電圧値Ｖ０−２（＝Ｖ０−１）に切替えられ出力され、その後も上記の様に電圧値が切替えられ出力される。
【００４０】
上記のように構成された第１の実施形態に係る温度検出回路によれば、温度検出回路は、複数のサーミスタ２と、検出回路１３と、制御回路１４とを備えている。検出回路１３は、大まかに、複数のアナログスイッチ５と、切替え部５１とを有している。複数のアナログスイッチ５は、それぞれ、複数のサーミスタ２に一対一で接続された一端及び共通の１回路に接続された他端を含んでいる。
【００４１】
切替え部５１は、特定の期間毎に複数のアナログスイッチ５の何れか１つがオン状態に切替わるよう複数のアナログスイッチ５のスイッチング動作を制御し、複数のサーミスタ２を通った信号を共通の１回路に個別に出力させている。複数のサーミスタ２を通った信号を、検出回路１３から制御回路１４に１本の配線を介して与えることができる。
【００４２】
オペアンプ回路１５の出力を演算することにより、全てのサーミスタ２を通った信号を個別に検出することができるため、全てのサーミスタ２の抵抗値を個別に得ることができる。これにより、例えば、どのサーミスタ２の抵抗値が最小であるのかを検出することができ、どのサーミスタ２が取り付けられた冷却ユニットの機能が低下したのか推定することができ、
温度検出回路がサーミスタ２をｎ個備えていても、スイッチ１２の設定によって使用するサーミスタ２の個数をｎ以下に設定することができる。しかも、制御回路１４側では、サーミスタ２の個数を設定しなくともよい。
【００４３】
反転増幅器８が出力するアナログ信号に、同期信号に変わる信号としてマイナス電源７の出力電圧Ｖ０のパルス波形を重畳している。このため、検出回路１３と制御回路１４との接続が１本の配線のみであっても、制御回路１４の出力を演算することにより、反転増幅器８が出力するアナログ信号の１周期分の波形を判定することができる。すなわち、検出回路１３及び制御回路１４間で同期をとるための装置や配線を別途設けなくともよい。
【００４４】
制御回路１４の出力（反転増幅器８が出力するアナログ信号）の１周期は、サーミスタ２が置かれる環境（検出点）の温度の変動周期に比べて十分短ければ、実用上問題はない。例えば、温度変動周期が１秒の場合、１周期が１００ｍｓであれば、同一の検出点では１秒間に１０回データを採取することができる。１周期に１０点の検出点のデータを採取すると、１点のデータは１０ｍｓ間ずつ採取することになる。
【００４５】
上記のことから、複数のサーミスタ２を通った信号を共通の１回路に個別に入力することができる温度検出回路を得ることができる。
【００４６】
次に、第２の実施形態に係る温度検出回路について詳細に説明する。この実施形態において、制御回路１４以外の構成は上述した第１の実施形態と同一であり、同一の部分の詳細な説明は省略する。温度検出回路は、図１に示した複数のサーミスタ２及び検出回路１３を備えている。
【００４７】
図２に示すように、温度検出回路は、制御回路１４を備えている。制御回路１４は、オペアンプ回路１５と、複数のスイッチとしての複数のアナログスイッチ２１（２１−１、２１−２、…２１−ｎ）と、複数のサンプルホールド回路２２（２２−１、２２−２、…２２−ｎ）と、他の切替え部としての切替え部５２とを有している。  
複数のアナログスイッチ２１は、それぞれオペアンプ回路１５に接続された一端、サンプルホールド回路２２に一対一で接続された他端並びに制御端子を含んでいる。
【００４８】
切替え部５２は、判断部５３と、他の発振器としての発振器１９と、他のリングカウンタとしてのリングカウンタ１８と、複数のパルス発生回路２０（２０−１、２０−２、…２０−ｎ）とを有している。
【００４９】
判断部５３は、基準電圧源１６及び比較回路１７を有している。基準電圧源１６は、マイナスの基準電圧を出力する。比較回路１７は、オペアンプ回路１５及び基準電圧源１６に接続された複数の入力端子と、出力端子と、を含んでいる。判断部５３は、上記マイナス電源７から与えられる電圧に起因した信号がオペアンプ回路１５から与えられたかどうか判断する。上記マイナス電源７から与えられる電圧に起因した信号がオペアンプ回路１５から与えられた際、判断部５３は、クリア信号ＣＬＲを出力端子を介して出力する。
【００５０】
詳しくは、比較回路１７は、オペアンプ回路１５から与えられる信号と、基準電圧源１６から与えられる基準電圧とを比較し、比較した情報に基づいたクリア信号ＣＬＲを出力する。ここでは、オペアンプ回路１５から与えられる信号の値と、基準電圧源１６から与えられる基準電圧の値とが一致したとき、比較回路１７は、パルス波形のクリア信号ＣＬＲを出力する。  
発振器１９は、比較回路１７の出力端子に接続され、比較回路１７からクリア信号ＣＬＲが与えられることにより出力がクリアされる。
【００５１】
リングカウンタ１８は、発振器１９に接続されたクロック入力端子と、比較回路１７の出力端子に接続されたクリア入力端子と、複数の出力端子と、を含んでいる。リングカウンタ１８の複数の出力端子は、複数のパルス発生回路２０を介して複数のアナログスイッチ２１の制御端子に接続されている。
【００５２】
リングカウンタ１８は、クロック入力端子を介して発振器１９から与えられるクロック信号に基づき、上記リングカウンタ１０の上記特定の期間と同一の期間毎に複数のアナログスイッチ２１の何れか１つがオン状態に切替わるよう複数のアナログスイッチ２１の制御端子に制御信号Ｑ（Ｑ１、Ｑ２、…Ｑｎ）を与える。
【００５３】
より詳しくは、リングカウンタ１８から複数のパルス発生回路２０に制御信号が入力されることにより、複数のパルス発生回路２０は、所定のパルス幅を持つパルス信号ｔｐ（ｔｐ１、ｔｐ２、…ｔｐｎ）を複数のアナログスイッチ２１の制御端子に与える。
【００５４】
これにより、リングカウンタ１８は、オペアンプ回路１５を通った信号を複数のアナログスイッチ２１の他端側に、個別に出力させることができる。アナログスイッチ２１の他端側に出力された信号は、サンプルホールド回路２２でサンプルホールドされる。サンプルホールド回路２２は、それぞれ信号Ｖ２（Ｖ２１、Ｖ２２、…Ｖ２ｎ）を出力する。  
リングカウンタ１８は、比較回路１７からクリア信号ＣＬＲが与えられることにより出力がクリアされる。
【００５５】
なお、リングカウンタ１８は、上記のように、特定の期間毎に複数のアナログスイッチ２１の何れか１つがオン状態に切替わるよう複数のアナログスイッチ２１を１つずつオン状態に切替える順序回路として構成されている。  
上記のように、制御回路１４が構成されている。
【００５６】
次に、制御回路１４のシーケンス動作について説明する。図８は、制御回路１４のシーケンス動作を示す説明図であり、信号ＶＡ、比較回路１７のクリア信号ＣＬＲ、制御信号（Ｑ０、Ｑ１、…Ｑｎ）、パルス信号（ｔｐ１、ｔｐ２、…ｔｐｎ）及び信号（Ｖ２１、Ｖ２２、…Ｖ２ｎ）を示すタイミングチャートである。なお、上記のように、信号ＶＡは、図７に示した検出回路１３のシーケンス動作にて生成される。
【００５７】
図１、図２及び図８に示すように、比較回路１７のクリア信号ＣＬＲは、パルス幅ｔ０のパルス波形を持っている。リングカウンタ１８の制御信号Ｑ（Ｑ０、Ｑ１、Ｑ２、…Ｑｎ）は、パルス幅Ｔのパルス波形を持っている。リングカウンタ１８の制御信号Ｑ（Ｑ１、Ｑ２、…Ｑｎ）は、複数のパルス発生回路２０（２０−１、２０−２、…２０−ｎ）に入力され、複数のパルス発生回路２０は、パルス幅ｔ１のパルス波形を持つパルス信号ｔｐ（ｔｐ１、ｔｐ２、…ｔｐｎ）を出力する。パルス信号ｔｐは、複数のアナログスイッチ２１（２１−１、２１−２、…２１−ｎ）の制御端子にそれぞれ入力される。
【００５８】
そして、アナログスイッチ２１がオフ状態からオン状態に順次切替えられることにより、信号ＶＡと同じ波形のオペアンプ回路１５の信号は、順次切替えられ、サンプルホールド回路２２に入力される。サンプルホールド回路２２−１は、電圧値Ｖ１−１を持つ信号Ｖ２１を出力し、そのＴ×ｎ時間後に、電圧値Ｖ１−２を持つ信号Ｖ２１を出力する。その後も、サンプルホールド回路２２−１は、Ｔ×ｎ時間毎に信号ＶＡ（電圧値Ｖ１）の波形をサンプルホールドする。  
サンプルホールド回路２２−１と同様、その他のサンプルホールド回路２２−２、２２−３、…２２−ｎも、信号Ｖ２２、Ｖ２３、…Ｖ２ｎを出力し、Ｔ×ｎ時間毎に信号ＶＡ（電圧値Ｖ２、Ｖ３、…Ｖｎ）の波形をサンプルホールドする。
【００５９】
上記パルス幅ｔ０、パルス幅ｔ１及び時間Ｔの関係は次のように選定される。
【００６０】
ｔ０＋ｔ１＜Ｔ
上記のようにｔ０、ｔ１及びＴを選定することにより、信号ＶＡの波形から、該当する個所の波形（所望のサーミスタ２の電気抵抗）をサンプルホールドすることができる。
【００６１】
上記のように構成された第２の実施形態に係る温度検出回路によれば、制御回路１４は、大まかに、それぞれ共通の１回路に接続された一端を含んだ複数のアナログスイッチ２１と、上記共通の１回路に接続された切替え部５２とを有している。
【００６２】
切替え部５２は、上記共通の１回路から出力される信号を基に、上記特定の期間と同一の期間毎に複数のアナログスイッチ２１の何れか１つがオン状態に切替わるよう複数のアナログスイッチ２１のスイッチング動作を制御し、上記共通の１回路から出力される信号を複数のアナログスイッチ２１の他端側に、個別に出力させることができる。
【００６３】
反転増幅器８からオペアンプ回路１５に１本の配線を介して入力されるアナログ信号を、時系列に変換し、ｎ個のアナログ信号にデコードすることができる。例えば、サンプルホールド回路２２−１に、サーミスタ２−１を通った信号に対応した信号Ｖ２１を出力させることができる。サンプルホールド回路２２−２に、サーミスタ２−２を通った信号に対応した信号Ｖ２２を出力させることができる。サンプルホールド回路２２−ｎに、サーミスタ２−ｎを通った信号に対応した信号Ｖ２ｎを出力させることができる。
【００６４】
このため、信号Ｖ２１、Ｖ２２、…Ｖ２ｎを検出することにより、サーミスタ２の抵抗値を個別に得ることができる。これにより、例えば、どのサーミスタ２の抵抗値が最小であるのかを検出することができ、どのサーミスタ２が取り付けられた冷却ユニットの機能が低下したのか推定することができる。このことは、切替え部５２及び複数のアナログスイッチ２１が、第１の実施形態で行った演算を、自動で行うことができるためである。  
上記のことから、複数のサーミスタ２を通った信号を共通の１回路に個別に入力することができる温度検出回路を得ることができる。
【００６５】
次に、第３の実施形態に係る温度検出回路について詳細に説明する。この実施形態において、制御回路１４以外の構成は上述した第１の実施形態と同一であり、同一の部分の詳細な説明は省略する。温度検出回路は、図１に示した複数のサーミスタ２及び検出回路１３を備えている。
【００６６】
図３に示すように、温度検出回路は、制御回路１４を備えている。制御回路１４は、オペアンプ回路１５と、処理部５４とを有している。処理部５４は、判断部５５と、シーケンス回路としての故障シーケンス回路２５とを有している。
【００６７】
判断部５５は、基準電圧源２３及び比較回路２４を有している。基準電圧源２３は、プラスの基準電圧を出力する。比較回路２４は、オペアンプ回路１５及び基準電圧源２３に接続された複数の入力端子と、出力端子と、を含んでいる。判断部５５は、オペアンプ回路１５から出力される信号が規定値を超えたかどうか判断する。そして、判断部５５は、上記判断に対応した信号を出力端子を介して出力する。
【００６８】
詳しくは、比較回路２４は、オペアンプ回路１５から与えられる信号の電圧値が、基準電圧源１６から与えられる基準電圧の値を超えたかどうか判断する。比較回路２４は、上記の判断に対応した信号を出力端子を介して出力する。比較回路２４は、オペアンプ回路１５から出力される信号（出力電圧の値）が上記基準電圧の値（規定値）を超えた場合にＨレベルの信号を出力し、上記以外の場合にＬレベルの信号を出力する。
【００６９】
故障シーケンス回路２５は、オペアンプ回路１５及び比較回路２４の出力端子に接続された複数の入力端子を含んでいる。故障シーケンス回路２５には比較回路２４から信号が与えられる。オペアンプ回路１５から出力される信号（出力電圧の値）が上記基準電圧の値（規定値）を超えたとの判断に対応した信号が比較回路２４から与えられた際、故障シーケンス回路２５は、シーケンス動作を行う。
【００７０】
この実施形態において、オペアンプ回路１５から出力される信号（出力電圧の値）が上記基準電圧の値（規定値）を超えた場合のみ、比較回路２４は、Ｈレベルの信号を出力する。このため、故障シーケンス回路２５は、比較回路２４からＨレベルの信号が与えられた際、シーケンス動作を行う。
【００７１】
また、故障シーケンス回路２５は、オペアンプ回路１５から入力される信号の波形を保存する。保存する範囲は、比較回路２４から入力される信号がＨレベルになる前の最低１周期分である。
【００７２】
なお、故障シーケンス回路２５は、オペアンプ回路１５の出力（信号）を演算することにより、上記基準電圧の値（規定値）を超えたオペアンプ回路１５の信号（出力電圧の値）が、どのサーミスタ２を通った信号に起因したものであるのか検出することができる。
【００７３】
これにより、故障シーケンス回路２５は、故障した（機能が過度に低下した）冷却ユニットを特定することができる。例えば、ヒートパイプ方式の冷却ユニットが故障した場合は、内部の液体が漏れたことを推測することができる。このため、故障シーケンス回路２５は、故障した冷却ユニットに取り付けられている電力変換回路を停止するなど、シーケンス動作を行うことができる。
【００７４】
上記のように構成された第３の実施形態に係る温度検出回路によれば、温度検出回路は、第１の実施形態に係る温度検出回路と同様の効果を得ることができる。処理部５４は、大まかに、共通の１回路に接続され、上記共通の１回路から出力される信号が規定値以上であるのかどうか比較し、上記比較した結果に応じてシーケンス動作を行うように構成されている。
【００７５】
このため、処理部５４は、冷却ユニットの何れかが故障していないかどうか判断することができる。さらに、処理部５４は、オペアンプ回路１５の出力（信号）を演算することにより、どのサーミスタ２が取り付けられた冷却ユニットが故障したのか特定することができ、対応する電力変換回路を停止するなど、シーケンス動作を行うことができる。  
上記のことから、複数のサーミスタ２を通った信号を共通の１回路に個別に入力することができる温度検出回路を得ることができる。
【００７６】
次に、第４の実施形態に係る温度検出回路について詳細に説明する。この実施形態において、制御回路１４以外の構成は上述した第１の実施形態と同一であり、同一の部分の詳細な説明は省略する。温度検出回路は、図１に示した複数のサーミスタ２及び検出回路１３を備えている。
【００７７】
図４に示すように、温度検出回路は、制御回路１４を備えている。制御回路１４は、オペアンプ回路１５と、処理部５６とを有している。処理部５６は、判断部５７と、他の判断部としての判断部５８と、時間カウント回路３０と、シーケンス回路としての故障シーケンス回路３１とを有している。
【００７８】
判断部５７は、基準電圧源２６及び比較回路２７を有している。基準電圧源２６は、プラスの基準電圧を出力する。比較回路２７は、オペアンプ回路１５及び基準電圧源２６に接続された複数の入力端子と、出力端子と、を含んでいる。判断部５７は、オペアンプ回路１５から出力される信号ＶＥが規定値を超えたかどうか判断する。そして、判断部５７は、上記判断に対応した信号ＶＣを出力端子を介して出力する。
【００７９】
詳しくは、比較回路２７は、オペアンプ回路１５から与えられる信号ＶＥ（出力電圧の値）が、基準電圧源２６から与えられる基準電圧の値を超えたかどうか判断する。比較回路２７は、上記の判断に対応した信号ＶＣを出力端子を介して出力する。比較回路２７は、オペアンプ回路１５から出力される信号ＶＥ（出力電圧の値）が上記基準電圧の値（規定値）を超えた場合にＨレベルの信号を出力し、上記以外の場合にＬレベルの信号を出力する。
【００８０】
判断部５８は、基準電圧源２８及び比較回路２９を有している。基準電圧源２８は、マイナスの基準電圧を出力する。比較回路２９は、オペアンプ回路１５及び基準電圧源２８に接続された複数の入力端子と、出力端子と、を含んでいる。判断部５８は、上記マイナス電源７（図１参照）から与えられる電圧に起因した信号がオペアンプ回路１５から与えられたかどうか判断する。上記マイナス電源７から与えられる電圧に起因した信号がオペアンプ回路１５から与えられた際、判断部５８は、クリア信号ＶＢを出力端子を介して出力する。
【００８１】
詳しくは、比較回路２９は、オペアンプ回路１５から与えられる信号ＶＥ（出力電圧）と、基準電圧源２８から与えられる基準電圧とを比較し、比較した情報に基づいたクリア信号ＶＢを出力する。ここでは、オペアンプ回路１５から与えられる信号ＶＥ（出力電圧）と、基準電圧源２８から与えられる基準電圧とが一致したとき、比較回路２９は、パルス波形のクリア信号ＶＢを出力する。
【００８２】
時間カウント回路３０は、比較回路２７の出力端子及び比較回路２９の出力端子に接続された複数の入力端子と、出力端子とを含んでいる。時間カウント回路３０は、時間カウントすることにより、比較回路２７から与えられる信号ＶＣが複数のサーミスタ２の何れを通った信号であるのか演算し、上記演算した結果を示す信号Ｏを出力端子を介して出力する。また、時間カウント回路３０は、比較回路２９からクリア信号ＶＢが与えられることにより上記時間カウントがクリアされる。
【００８３】
故障シーケンス回路３１は、オペアンプ回路１５、比較回路２７の出力端子及び時間カウント回路３０の出力端子に接続された複数の入力端子を含んでいる。故障シーケンス回路３１には比較回路２７から信号が与えられる。オペアンプ回路１５から出力される信号ＶＥ（出力電圧の値）が上記基準電圧の値（規定値）を超えたとの判断に対応した信号ＶＣが比較回路２７から与えられた際、故障シーケンス回路２５は、時間カウント回路３０から与えられる信号Ｏに基づいてシーケンス動作を行う。
【００８４】
また、故障シーケンス回路３１は、オペアンプ回路１５から入力される信号ＶＥの波形を保存する。保存する範囲は、比較回路２７から入力される信号ＶＣがＨレベルになる前の最低１周期分である。
【００８５】
この実施形態において、オペアンプ回路１５から出力される信号ＶＥ（出力電圧の値）が上記基準電圧の値（規定値）を超えた場合のみ、比較回路２７は、Ｈレベルの信号ＶＣを出力する。このため、故障シーケンス回路３１は、比較回路２７からＨレベルの信号が与えられた際、シーケンス動作を行う。
【００８６】
また、時間カウント回路３０から信号Ｏが与えられることにより、故障シーケンス回路３１は、上記基準電圧の値（規定値）を超えたオペアンプ回路１５の信号ＶＥ（出力電圧の値）が、どのサーミスタ２を通った信号に起因したものであるのか検出することができ、どのサーミスタ２が取り付けられた冷却ユニットが故障したのか特定することができる。このことは、上記第３の実施形態で行った演算を、自動で行うことができるためである。
【００８７】
例えば、ヒートパイプ方式の冷却ユニットが故障した場合は、内部の液体が漏れたことを推測することができる。このため、故障シーケンス回路３１は、故障した冷却ユニットに取り付けられている電力変換回路を停止するなど、シーケンス動作を行うことができる。
【００８８】
次に、制御回路１４のシーケンス動作について説明する。図９は、制御回路１４のシーケンス動作を示す説明図であり、信号ＶＡ、ＶＢ、ＶＣを示すタイミングチャートである。図９の例では、ｍ番目のサーミスタ２を通った信号に起因した信号ＶＡが規定値を超えている。なお、上記のように、信号ＶＡは、図７に示した検出回路１３のシーケンス動作にて生成される。
【００８９】
図１、図４及び図９に示すように、基準電圧源２６の基準電圧はＶｒｅｆ１である。基準電圧源２８の基準電圧はＶｒｅｆ２である。信号ＶＢは、パルス幅Ｔのパルス電圧波形を持っている。信号ＶＢの立ち上がりから時間Ｔ１後に、信号ＶＡの電圧値は基準電圧Ｖｒｅｆ１を超え、信号ＶＣはＨレベルとなる。すると、時間カウント回路３０は、信号ＶＡの波形がｍ番目のサーミスタ２を通った信号に起因したものであることを示すｍを演算し、信号Ｏとして故障シーケンス回路３１に入力され、故障シーケンス回路３１に故障検知データとして保存される。
【００９０】
上記時間Ｔ１は、次に示す式で表される。
【００９１】
Ｔ１＝ｍ×Ｔ＋ａ
上記ａは、任意の定数であり、ａ＜Ｔである。ここでは、ａ＝Ｔ／２である。
【００９２】
故障シーケンス回路３１は、時間Ｔ１からｍを演算し、ｍ番目のサーミスタ２で検出した温度が高いことを確認することができる。また、比較回路２７の信号ＶＣがＨレベルになったとき、時間カウント回路３０で演算されたｍの値によって、故障シーケンス回路３１は、予め決められた電力変換回路を停止するなど、シーケンス動作を行うことができる。
【００９３】
上記のように構成された第４の実施形態に係る温度検出回路によれば、温度検出回路は、上記第３の実施形態に係る温度検出回路と同様の効果を得ることができる。処理部５６は、大まかに、共通の１回路から出力される信号が、複数のサーミスタ２の何れを通った信号に起因したものであるのか演算することができる。
【００９４】
このため、処理部５６は、どのサーミスタ２が取り付けられた冷却ユニットが故障したのか特定することができ、対応する電力変換回路を停止するなど、シーケンス動作を行うことができる。  
上記のことから、複数のサーミスタ２を通った信号を共通の１回路に個別に入力することができる温度検出回路を得ることができる。
【００９５】
次に、第５の実施形態に係る温度検出回路について詳細に説明する。この実施形態において、処理部６１以外の構成は上述した第２の実施形態と同一であり、同一の部分の詳細な説明は省略する。温度検出回路は、図１に示した複数のサーミスタ２及び検出回路１３を備えている。温度検出回路は、図２に示した制御回路１４を備えている。
【００９６】
図５に示すように、制御回路１４は、それぞれ複数のアナログスイッチ２１の他端側に一対一で接続された複数の処理部６１をさらに有している。詳しくは、各処理部６１は、サンプルホールド回路２２を介してアナログスイッチ２１に接続されている。複数の処理部６１は、同様に構成されている。ここでは、複数の処理部６１を代表し、以下、ｍ番目のサンプルホールド回路２２−ｍに接続されたｍ番目の処理部６１を例に説明する。
【００９７】
処理部６１−ｍは、判断部６２−ｍと、シーケンス回路としての故障シーケンス回路３４−ｍとを有している。判断部６２−ｍは、基準電圧源３２−ｍ及び比較回路３３−ｍを有している。基準電圧源３２−ｍは、プラスの基準電圧を出力する。比較回路３３−ｍは、サンプルホールド回路２２−ｍ（アナログスイッチ２１−ｍの他端側）及び基準電圧源３２−ｍに接続された複数の入力端子と、出力端子と、を含んでいる。判断部６２−ｍは、アナログスイッチ２１−ｍを通って与えられる信号が規定値を超えたかどうか判断する。そして、判断部６２−ｍは、上記判断に対応した信号を出力端子を介して出力する。
【００９８】
詳しくは、比較回路３３−ｍは、サンプルホールド回路２２−ｍを通って与えられる信号の電圧値が、基準電圧源３２−ｍから与えられる基準電圧の値を超えたかどうか判断する。比較回路３３−ｍは、上記の判断に対応した信号を出力端子を介して出力する。比較回路３３−ｍは、サンプルホールド回路２２−ｍを通って与えられる信号（出力電圧の値）が上記基準電圧の値（規定値）を超えた場合にＨレベルの信号を出力し、上記以外の場合にＬレベルの信号を出力する。
【００９９】
故障シーケンス回路３４−ｍは、サンプルホールド回路２２−ｍ及び比較回路３３−ｍの出力端子に接続された複数の入力端子を含んでいる。故障シーケンス回路３４−ｍには比較回路３３−ｍから信号が与えられる。サンプルホールド回路２２−ｍを通って与えられる信号（出力電圧の値）が上記基準電圧の値（規定値）を超えたとの判断に対応した信号が比較回路３３−ｍから与えられた際、故障シーケンス回路３４−ｍは、シーケンス動作を行う。
【０１００】
この実施形態において、サンプルホールド回路２２−ｍを通って与えられる信号（出力電圧の値）が上記基準電圧の値（規定値）を超えた場合のみ、比較回路３３−ｍは、Ｈレベルの信号を出力する。このため、故障シーケンス回路３４−ｍは、比較回路３３−ｍからＨレベルの信号が与えられた際、シーケンス動作を行う。
【０１０１】
また、故障シーケンス回路３４−ｍは、サンプルホールド回路２２−ｍを通って与えられる信号の波形を保存する。保存する範囲は、比較回路３３−ｍから入力される信号がＨレベルになる前の最低１周期分である。
【０１０２】
これにより、ｍ番目の故障シーケンス回路３４−ｍは、ｍ番目のサーミスタ２−ｍが取り付けられた冷却ユニットが故障したものと推定することができる。例えば、ヒートパイプ方式の冷却ユニットが故障した場合は、内部の液体が漏れたことを推測することができる。このため、故障シーケンス回路３４−ｍは、故障した冷却ユニットに取り付けられている電力変換回路を停止するなど、シーケンス動作を行うことができる。
【０１０３】
次に、制御回路１４の処理部６１のシーケンス動作について説明する。ここでは、複数の処理部６１を代表し、以下、ｍ番目の処理部６１のシーケンス動作を例に説明する。図１０は、ｍ番目の処理部６１のシーケンス動作を示す説明図であり、信号Ｖ２ｍ、ＶＦｍを示すタイミングチャートである。図１０の例では、ｍ番目のサーミスタ２を通った信号に起因した信号Ｖ２ｍが規定値を超えている。
【０１０４】
図１、図２、図５及び図１０に示すように、基準電圧源３２−ｍの基準電圧はＶｒｅｆ３−ｍである。信号Ｖ２ｍの電圧値が基準電圧Ｖｒｅｆ３−ｍを超えると、比較回路３３−ｍから出力される信号ＶＦｍはＨレベルとなる。信号Ｖ２ｍ及び信号ＶＦｍは、故障シーケンス回路３４−ｍに入力され、故障シーケンス回路３４−ｍには故障検知データとして保存される。
【０１０５】
また、比較回路３３−ｍから出力される信号ＶＦｍがＨレベルになったとき、故障シーケンス回路３４−ｍは、予め決められた電力変換回路を停止するなど、シーケンス動作を行うことができる。
【０１０６】
上記のように構成された第５の実施形態に係る温度検出回路によれば、温度検出回路は、上記第２の実施形態に係る温度検出回路と同様の効果を得ることができる。制御回路１４は、それぞれ複数のアナログスイッチ２１の他端側に一対一で接続され、上記他端側に出力される信号が規定値以上であるのかどうか比較し、上記比較した結果に応じてシーケンス動作を行うように構成された複数の処理部６１をさらに有している。このため、制御回路１４（処理部６１）は、対応する電力変換回路を停止するなど、シーケンス動作を行うことができる。
【０１０７】
基準電圧源３２（３２−１、…３２−ｎ）は、規定値である基準電圧Ｖｒｅｆ３（Ｖｒｅｆ３−１、…Ｖｒｅｆ３−ｎ）をそれぞれ独自に設定することができる。このため、サーミスタ２間で特性を揃えたりしなくともよい。また、特性の異なる複数のサーミスタを使用したり、各種の温度センサを使用したり、上記処理部６１以外の各種の処理部を使用したりして温度検出回路を形成してもよい。  
上記のことから、複数のサーミスタ２を通った信号を共通の１回路に個別に入力することができる温度検出回路を得ることができる。
【０１０８】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１０９】
例えば、温度センサは、サーミスタ２に限定されるものではなく種々変形可能であり、環境の温度に応じて電圧値が設定されるアナログ信号を出力するように構成されたものであればよい。  
温度検出回路は、鉄道車両に限らず、熱を生じる機器に設けられ、使用することができる。
【符号の説明】
【０１１０】
１…プラス電源、２…サーミスタ、４…オペアンプ、５，２１…アナログスイッチ、６…反転形加算回路、７…マイナス電源、８…反転増幅器、９，１９…発振器、１０，１８…リングカウンタ、１１，１７，２４，２７，２９，３３…比較回路、１３…検出回路、１４…制御回路、１５…オペアンプ回路、１６，２３，２６，２８，３２…基準電圧源、２５，３１，３４…故障シーケンス回路、３０…時間カウント回路、５３，５５，５７，５８，６２…判断部、５４，５６，６１…処理部、Ｖｒｅｆ１，Ｖｒｅｆ２，Ｖｒｅｆ３…基準電圧。
【図１】
2012042428.tif 000003
【図２】
2012042428.tif 000004
【図３】
2012042428.tif 000005
【図４】
2012042428.tif 000006
【図５】
2012042428.tif 000007
【図６】
2012042428.tif 000008
【図７】
2012042428.tif 000009
【図８】
2012042428.tif 000010
【図９】
2012042428.tif 000011
【図１０】
2012042428.tif 000012